(57)【特許請求の範囲】
【請求項１】
枠体内に開閉自在に引戸を備え、
この引戸の戸先側にラッチを有した錠ケースを備え、
枠体の縦枠に前記ラッチに係止するアームバーと、このアームバーと並列に設けられ、
引戸側に突出するトリガーとを有した錠受けを備え、
この錠受けの両縁に、長手方向に延びる一対の案内部を設け、当該案内部の対向面に先端に向けて広がる傾斜面を形成し、
前記トリガーは前記アームバーに連結されて、引戸が閉じる時には当該引戸が前記トリガーを押動し、これに連動させて、前記アームバーをラッチに係止すべく引戸側に突出し、引戸が開く時には前記トリガーが押動前の元の位置に復帰して、前記アームバーが枠体側に後退する機能と、
前記トリガーはキャップ状のカバー体と、このカバー体内に摺動自在に設けられ、前記アームバーに連結された可動体とを有し、前記カバー体と前記可動体との間にばねを設け、前記トリガーと前記アームバーとに同時に枠体側へ後退させる力が作用したとき、前記カバー体だけが、前記ばねの付勢力に抗して後退可能とし、前記トリガーと前記アームバーとに対して同時に枠体側へ後退させる力が作用した時、これらの連動を解除する機能とを備えた
ことを特徴とする建具。
【発明の詳細な説明】
【０００１】
【発明の属する技術分野】
本発明は、例えば玄関引戸に用いられて好適な建具に関する。
【０００２】
【従来の技術】
一般に、玄関引戸に用いられて好適な建具は、躯体に取り付けられた枠体内に開閉自在に引戸を備えている。
【０００３】
この種の玄関引戸では枠体の縦枠にアームバーを有した錠受けを備え、引戸の戸先にはアームバーに係止するラッチを有した錠ケースを備えている。この引戸を閉じる場合、引戸の戸先が縦枠に当接すると、まず、引戸側に設けたラッチが枠体側のアームバーに係合し、枠体と引戸との間に隙間があかないように、このラッチによって引戸が一時的に係止される。
【０００４】
この状態では、引戸の錠がかかったわけではなく、施錠操作があって始めて上記ラッチが固定されて引戸が施錠される。
【０００５】
【発明が解決しようとする課題】
しかしながら、従来の構成では、錠受けのアームバーが固定式であるため、このアームバーが常に引戸側に突出したままになるという問題がある。このアームバーが突出したままになると、見栄えが悪いし、引戸をあけて出入りする場合、このアームバーが邪魔になる恐れがあるという問題がある。
【０００６】
そこで、本発明の目的は、上述した従来の技術が有する課題を解消し、引戸をあけて出入りする場合、枠体側から突出するアームバーが、この出入りの邪魔にならない構成を有した建具を提供することにある。
【０００７】
【課題を解決するための手段】
請求項１記載の発明は、枠体内に開閉自在に引戸を備え、この引戸の戸先側にラッチを有した錠ケースを備え、枠体の縦枠に前記ラッチに係止するアームバーと、このアームバーと並列に設けられ、引戸側に突出するトリガーとを有した錠受けを備え、この錠受けの両縁に、長手方向に延びる一対の案内部を設け、当該案内部の対向面に先端に向けて広がる傾斜面を形成し、前記トリガーは前記アームバーに連結されて、引戸が閉じる時には当該引戸が前記トリガーを押動し、これに連動させて、前記アームバーをラッチに係止すべく引戸側に突出し、引戸が開く時には前記トリガーが押動前の元の位置に復帰して、前記アームバーが枠体側に後退する機能と、前記トリガーはキャップ状のカバー体と、このカバー体内に摺動自在に設けられ、前記アームバーに連結された可動体とを有し、前記カバー体と前記可動体との間にばねを設け、前記トリガーと前記アームバーとに同時に枠体側へ後退させる力が作用したとき、前記カバー体だけが、前記ばねの付勢力に抗して後退可能とし、前記トリガーと前記アームバーとに対して同時に枠体側へ後退させる力が作用した時、これらの連動を解除する機能とを備えたものである。
【００１０】
【発明の実施の形態】
以下、本発明の一実施形態を図面に基づいて説明する。
【００１１】
図１は、玄関引戸の横断面を示す。この玄関引戸（建具）は枠体１を有し、この枠体１はアルミニウム型材製の左右の縦枠２，３、および図示しない上枠と下枠を有する。この縦枠２，３間には、室外側１２に配置された外側の引戸４と、室内側１３に配置された内側の引戸５とが開閉自在に配置されている。
【００１２】
外側の引戸４は左右の縦框６，７と図示しない上桟と下桟を有し、内側の引戸５は、左右の縦框８，９と図示しない上桟と下桟を有している。縦框７，９は召し合わせ框であり、枠体１の中央部で重なりあっている。これらの引戸４，５はガラス１０，１１を有している。
【００１３】
上記縦枠２は、室内側部材２Ａと室外側部材２Ｂとを樹脂製のブリッジ１４で連結して構成され、上記縦枠３は、室内側部材３Ａと室外側部材３Ｂとを樹脂製のブリッジ１５で連結して構成されている。
【００１４】
各引戸４，５の縦框６，８には、図１および図２に示すように、錠ケース２０が設けられ、枠体１の左右の縦枠２，３には、各引戸４，５側に対向してそれぞれ錠受け２１が設けられている。
【００１５】
この錠受け２１は、錠ケース２０側にそれぞれ突出するアームバー２２およびトリガー１２２を有し、これらは後述するように、保持部２４の内側で相互に連動可能に連結されている。取り付け板２３は、二つのねじ２６を用いて、図１に示す左右の縦枠２，３の内面に固定される。
【００１６】
すなわち、トリガー１２２は、図３および図４に示すように、保持部２４の内部に向けて後退自在に構成され、このトリガー１２２の内端１２２Ａには、ピン１２５を介して、レバー１２６の一端１２６Ａがヒンジ連結されている。このレバー１２６はピン１２７の回りを揺動自在に軸支され、通常時は、ピン１２７の回りに配置されたばね１２４によって、図中で時計方向に付勢されている。このレバー１２６の他端１２６Ｂは、上記アームバー２２の内端２２Ａにピン１２８を介してヒンジ連結されている。
【００１７】
図３は、通常状態を示し、この状態では、ばね１２４のばね力によってトリガー１２２が突出し、アームバー２２が後退している。この場合、アームバー２２の先端が、アルミニウム型材製の縦枠２，３のリブよりも引戸側へ突出しないことが望ましい。余分なものが引戸側へ突出しないため、見栄えが向上すると共に、引戸４，５をあけて出入りする場合、このアームバー２２が邪魔になることがないからである。図４は、ばね１２４のばね力に抗して、トリガー１２２が後退し、アームバー２２が突出した状態を示す。
【００１８】
ここで、トリガー１２２が例えば６ｍｍ後退すると、アームバー２２が１０ｍｍ突出するように構成されている。
【００１９】
上記錠ケース２０は、錠本体を構成する箱体３２と取り付け板３０とで形成され、この取り付け板３０には、上記トリガー１２２に当接可能に押動部１２３が一体的に形成されている。この押動部１２３は錠ケース２０に設けられているが、これに限定されず、引戸自体でトリガー１２２を押動し、或いはそのほかの専用部品でトリガー１２２を押動する構成としてもよい。
【００２０】
この錠ケース２０は、図５に示すように、各引戸４，５の縦框６，８の戸先面にねじ３１を用いて固定されている。
【００２１】
上記箱体３２には、アームバー２２を収容する略Ｕ字状の第一の溝５１が形成されている。この第一の溝５１の近傍には、揺動支点軸３７を中心に、鉛直面内を揺動するラッチ３３が設けられ、このラッチ３３は、当該ラッチ３３と固定ピン３３Ａとの間に掛け渡されたばね３９のばね力によって矢印Ｒの方向（時計方向）に付勢されている。また、このラッチ３３に隣接して、揺動支点軸４１を中心に、当該ラッチ３３と同一の鉛直面内を揺動するレバー３４が設けられ、このレバー３４は、ばね６５のばね力によって矢印Ｒと反対の方向（反時計方向）に付勢されている。このばね６５は、一端が箱体３２の内面に当接し、他端が、固定ピン３２Ａを巻回した後、図中上方に延出して、レバー３４に固定されたピン３４Ａに係止されている。
【００２２】
なお、このレバー３４の先端部Ａは、後述するように、ラッチ３３の切り欠きＢに係合自在である。
【００２３】
このレバー３４の上方に重なり合うように、ラッチ解除レバー３５が設けられている。このラッチ解除レバー３５は、揺動支点軸４２を中心に揺動するとともに、この揺動支点軸４２を介して、連結片３６Ａに連結されている。この連結片３６は、スライダー３６に一体的に連結され、このスライダー３６は、上下動される。このスライダー３６は、鉛直方向に延出し、スライダー３６の上端部３６Ｂと固定ピン３２Ｂとの間にはばね４９が掛け渡され、このばね４９のばね力によって、矢印Ｔの方向に付勢されている。
【００２４】
スライダー３６の下端部３６Ｃは略直角に曲げられ、この下端部３６Ｃには、図６に示すように、可動部７１の上端が連結されている。この可動部７１は、引戸の可動引手７０に設けられ、この可動引手７０を掴んで引戸を開けるとき、可動部７１に連結されたスライダー３６が、上記ばね４９のばね力に抗して引き下げられる構成を有している。
【００２５】
また、図５において、ラッチ解除レバー３５の上方に重なり合うように、スライド板４３が設けられている。このスライド板４３の下端にはピン４６が設けられ、このピン４６は箱体３２に形成されたガイド溝４８に嵌合している。そして、後述するように、スライド板４３の上端に連結された施解錠つまみ６０を上下動させた場合、それに連動して、このスライド板４３は、上記のガイド溝４８に案内されながら上下動される。
【００２６】
このスライド板４３にはガイド溝４５が形成され、このガイド溝４５には、ラッチ解除レバー３５に固定されたピン４４が嵌合している。このガイド溝４５は、互いに略平行に上下方向に延びる第一のガイド溝４５Ａ、第二のガイド溝４５Ｂを有し、これらガイド溝４５Ａ，４５Ｂを、斜め溝４５Ｃで連結することによって構成されている。
【００２７】
上記スライド板４３が、図５に示す位置にある場合、スライダー３６が、ばね４９のばね力に抗して引き下げられ、或いはばね４９のばね力で引き上げられるとき、ラッチ解除レバー３５に固定されたピン４４は、第一のガイド溝４５Ａ内を上下動する。スライド板４３が図５の状態から下方に押し下げられた場合、上記ピン４４は斜め溝４５Ｃを通って、第二のガイド溝４５Ｂに移動する。そして、この場合、スライダー３６が上下動されると、上記ピン４４は第二のガイド溝４５Ｂ内を上下動する。
【００２８】
上記構成では、箱体３２にアームバー２２を収容する略Ｕ字状の第一の溝５１が形成され、ラッチ３３には、第一の溝５１にアームバー２２が収容されたとき、この第一の溝５１と協働してアームバー２２の四方を囲う略Ｕ字状の第二の溝５２が形成されている。
【００２９】
第一の溝５１の溝幅Ｗ１は、アームバー２２の直径Ｗよりも調整代Ｗ２だけ大きく設定されている。
【００３０】
つぎに、図６〜図８を参照して、アームバー２２がラッチ３３にラッチされるまでの動作について説明する。
【００３１】
図６〜図８は、室外側１２に配置された外側の引戸４を示している。図６において、６１は戸先錠を示し、この戸先錠６１の錠穴に、室外側からキーを挿入して回動させると引戸４の錠が解錠される。この戸先錠６１は、施解錠つまみ６０と連動し、図６〜図８では、施解錠つまみ６０が「開」であり、解錠されている。図６では、引戸４が開かれている。
【００３２】
図６において、錠受け２１側では、ばね１２４のばね力によりトリガー１２２が突出し、アームバー２２が後退している。
【００３３】
上記引戸４が閉じられると、図７に示すように、上記錠ケース２０側の押動部１２３がトリガー１２２に当接して、このトリガー１２２を縦枠２，３側へ押し込む。このトリガー１２２が押し込まれることにより、レバー１２６がばね１２４のばね力に抗して反時計方向に回動し、アームバー２２が突出し、その先端が錠ケース２０に形成された第一の溝５１に進入する。
【００３４】
すると、アームバー２２で押されて、ラッチ３３が、ばね３９のばね力に抗してＦ方向に回転する。このラッチ３３が、図７に示す位置まで回転すると、レバー３４の支えがなくなり、このレバー３４がばね６５のばね力によってＧ方向に回転する。すると、上記のようにレバー３４の先端部Ａがラッチ３３の切り欠きＢに係合し、それ以後、ラッチ３３の時計方向への移動が規制される。この状態ではレバー３４のピン４０がラッチ解除レバー３５の先端に係止される。
【００３５】
このように、錠ケース２０に形成された略Ｕ字状の第一の溝５１に、錠受け２１のアームバー２２が収容され、ラッチ３３が鉛直面内を図７に示す位置まで揺動した場合、このラッチ３３に形成された略Ｕ字状の第二の溝５２が、第一の溝５１と協働して、アームバー２２の四方を囲う。これによれば、ラッチ３３の係合が完全になるため、ラッチ３３が外れることはない。従って、従来のものと異なり、引戸を閉じた際の反動によって、枠体と引戸との間に隙間があくといったトラブルがほぼ解消される。
【００３６】
図８において、可動引手７１を掴んで引戸４を開けると、可動部７０に連結されたスライダー３６が引き下げられ、このスライダー３６と一体にラッチ解除レバー３５が引き下げられる。
【００３７】
図８の状態では、施解錠つまみ６０が「開」であり、引戸４は解錠の状態にある。従って、上記スライド板４３は、図５に示す位置にあり、上記スライダー３６が引き下げられると、ラッチ解除レバー３５に固定されたピン４４が、第一のガイド溝４５Ａ内を下方に移動する。
【００３８】
このピン４４が、第一のガイド溝４５Ａ内を下方に移動する場合、ラッチ解除レバー３５は、その先端がピン４０を係止したまま、下方に引き下げられる。すると、このピン４０を介して、レバー３４がＳ方向（時計方向）に回動し、レバー３４の先端部Ａとラッチ３３の切り欠きＢとの係合が解除され、それに伴って、ラッチ３３がばね３９のばね力によってＲ方向（反時計方向）に回動する。従って、ラッチ３３は、図８に示す位置に復帰し、アームバー２２とラッチ３３の係合が解除される。
【００３９】
そして、引戸４が開かれると、図６の状態に至り、この状態で、錠受け２１側では、ばね１２４のばね力によりトリガー１２２が突出し、アームバー２２が後退する。これによれば、引戸４が開かれた場合、余分なものが引戸４側へ突出しないため、見栄えが向上すると共に、引戸４をあけて出入りする場合、このアームバー２２が邪魔になる恐れがない等の効果が得られる。
【００４０】
図９および図１０は施錠状態を示している。
【００４１】
引戸４の錠が施錠された場合、図９に示すように、スライド板４３がＴ１方向に押し下げられる。すると、上記ピン４４が、斜め溝４５Ｃ（図５）を通って、第二のガイド溝４５Ｂに移動し、これに伴って、ラッチ解除レバー３５がＪ方向に回転する。この場合、引戸４の施錠は、上記したように、施解錠つまみ６０を押し下げるか、或いは室外側から戸先錠６１にキーを差し込んで回すか、いずれかによりおこなわれる。
【００４２】
図１０に示すように、可動引手７１を掴んで引戸４を開けると、可動部７０に連結されたスライダー３６が引き下げられ、このスライダー３６と一体にラッチ解除レバー３５が引き下げられる。
【００４３】
この場合、ラッチ解除レバー３５は、その先端がレバー３４のピン４０と係合しない状態で引き下げられるので、ピン４０はいわゆる空振りされる。従って、レバー３４の先端部Ａと、ラッチ３３の切り欠きＢとの係合が維持され、アームバー２２とラッチ３３の係合が維持される。これによれば、引戸４の錠が施錠された場合、確実に施錠される。
【００４４】
上記トリガー１２２は、図３および図４に示すように、キャップ状のカバー体１２２ａと、このカバー体１２２ａ内に摺動自在に設けられた可動体１２２ｂと、この可動体１２２ｂを常時図中左方へ付勢するばね１２２ｃとを有して構成されている。そして、上記可動体１２２ｂには上記ピン１２５を受け入れる長孔１２２ｄが形成されている。なお、上述したトリガー１２２の内端１２２Ａは、可動体１２２ｂに相当している。
【００４５】
この構成によれば、トリガー１２２とアームバー２２とに対して、同時に、枠体２，３側へ後退させる力が作用した時、図１１に示すように、レバー１２６が回動せずに、トリガー１２２を構成するカバー体１２２ａだけが、ばね１２２ｃのばね力に抗して枠体２，３側へ後退するために、トリガー１２２とアームバー２２の連動が解除される。
【００４６】
本実施形態では、トリガー１２２とアームバー２２とに対して、同時に、枠体２，３側へ後退させる力が作用した時、トリガー１２２とアームバー２２の連動が解除されるため、当該連動機構に過度な力が作用することがなく、当該連動機構の損傷が防止される。
【００４７】
図１２は別の実施形態を示す。
【００４８】
上述した縦枠２，３や引戸４の反り、或いは寸法誤差等に起因して、引戸４側に向かうアームバー２２の突出量が少なくなると、アームバー２２とラッチ３３との係合不良が発生する恐れがある。
【００４９】
この場合、本実施形態では、錠受け２１を構成する取り付け板２３と背板１３１との間に所定厚さのスペーサー１３２を介装する。このスペーサー１３２は上下に２分割された２ピースで構成されている。これによれば、縦枠２，３側から引戸４側へより多くトリガー１２２が突出するため、その分に比例する分だけ引戸４側へ向かうアームバー２２の突出量が大きくなる。従って、アームバー２２とラッチ３３との係合不良の発生が抑制される。
【００５０】
さらに、別の実施形態として、図示は省略したが、上記スペーサー１３２を設けずに、トリガー１２２の突出量を大きくすると共に、トリガー１２２が後退した時、突出量を大きくした分に比例する分だけアームバー２２の突出量が大きくなるように調整可能に構成してもよい。
【００５１】
本実施形態では、スペーサー１３２が上下２分割されているため、その装着時には下のピースが脱落しやすい。
【００５２】
そこで、図１３に示すように、スペーサー１３２を一枚板で形成し、この板に下方から一つの切り欠き１３２Ａを形成して、スペーサー１３２を上方から装着できようにしたものである。
【００５３】
このスペーサー１３２には４か所に凹所１３２Ｂが形成されている。そして、図１２を参照して、本スペーサー１３２に当接する取り付け板２３の当接面に上記凹所１３２Ｂに係合する４個の突起（図示せず）が形成されている。これによれば、スペーサー１３２の装着時に、取り付け板２３の突起がスペーサー１３２の凹所１３２Ｂに嵌合して位置決めされるため、ねじ２６を固定する場合、スペーサー１３２の回動が抑えられる。
【００５４】
図１４および図１５は別の実施形態を示している。
【００５５】
本実施形態では、錠受け２１を構成する取り付け板２３に、図１４に示すように、樹脂製カバー１５０が２本のねじ２６によって固定されている。この樹脂製カバー１５０には図示を省略した孔があけられ、この孔を通じてトリガー１２２とアームバー２２が突出している。
【００５６】
樹脂製カバー１５０の両縁には、長手方向に延びる一対の案内部１５１、１５３が形成され、一対の案内部１５１、１５３の対向面には先端に向けて広がる傾斜面１５１Ａ、１５３Ｂが形成されている。
【００５７】
また、図１５に示すように、引戸４の縦框６に錠ケース２０が設けられ、枠体１の縦枠２に引戸４側に対向して錠受け２１が設けられている。この錠受け２１に対し、上記の樹脂製カバー１５０が設けられ、この樹脂製カバー１５０に一対の案内部１５１、１５３が形成されている。
【００５８】
本実施形態では、引戸４を矢印１５５の方向に閉めた場合、既に説明したように、錠ケース２０の押動部１２３がトリガー１２２を押動し、これに連動してアームバー２２が突出して鍵がかかる。
【００５９】
図１５では、引戸４に反りが発生して、錠ケース２０の中心線Ｌ１が、錠受け２１の中心線Ｌ２に対しずれている。
【００６０】
本実施形態では、図１５に示すように、夫々の中心線Ｌ１、中心線Ｌ２がずれていても、引戸４を矢印１５５方向に閉めた場合、錠ケース２０の押動部１２３が、樹脂製カバー１５０の案内部１５１、１５３に案内され、上記のずれが解消される方向へ誘い込まれるため、押動部１２３が確実にトリガー１２２を押動し、戸締まり不良の発生が抑えられる。
【００６１】
以上、一実施形態に基づいて本発明を説明したが、本発明は、これに限定されず、種々の変形が可能である。
【００６２】
例えば、本構造は、引き違い引戸に限定されず、片引き引戸、或いは４枚引き引戸等にも適用されることは明らかである。アームバーはＵ字状に限らずＪ字状など他の形状であってもよい。
【００６３】
【発明の効果】
請求項１記載の発明では、引戸が閉じる時には当該引戸の戸先がトリガーを押動し、これに連動させて、アームバーをラッチに係止すべく引戸側に突出し、引戸が開く時にはトリガーが押動前の元の位置に復帰して、アームバーが枠体側に後退する機能を備えたため、引戸が開かれた場合、余分なものが枠体側から引戸側へ突出しない。
【００６４】
従って、見栄えが向上すると共に、引戸をあけて出入りする場合、このアームバーが邪魔になる恐れがない等の効果が得られる。
【００６６】
また、トリガーとアームバーとに対して、同時に、枠体側へ後退させる力が作用した時、これらの連動を解除する機能を備えたため、トリガーとアームバーとの連動機構に過度な力が作用することがなく、当該連動機構の損傷が防止される。
【図面の簡単な説明】
【図１】本発明の建具の横断面図である。
【図２】錠受けと錠ケースを示す斜視図である。
【図３】Ａは錠受けの斜視図、Ｂはその断面図である
【図４】Ａは錠受けの斜視図、Ｂはその断面図である
【図５】錠受けと錠ケースを示す図である。
【図６】解錠時の動作を説明する図である。
【図７】解錠時の動作を説明する図である。
【図８】解錠時の動作を説明する図である。
【図９】施錠時の動作を説明する図である。
【図１０】施錠時の動作を説明する図である。
【図１１】別の実施形態を示す錠受けの断面図である。
【図１２】別の実施形態を示す錠受けの分解斜視図である。
【図１３】別の実施形態を示す平面図である。
【図１４】別の実施形態を示す斜視図である。
【図１５】別の実施形態を示す断面図である。
【符号の説明】
１  枠体
２，３  縦枠
４，５  引戸
２０  錠ケース
２１  錠受け
２２  アームバー
１２２  トリガー
１２３  ロッド
１２６  レバー
【図１】
0004542686.tif 000002
【図２】
0004542686.tif 000003
【図３】
0004542686.tif 000004
【図４】
0004542686.tif 000005
【図５】
0004542686.tif 000006
【図６】
0004542686.tif 000007
【図７】
0004542686.tif 000008
【図８】
0004542686.tif 000009
【図９】
0004542686.tif 000010
【図１０】
0004542686.tif 000011
【図１１】
0004542686.tif 000012
【図１２】
0004542686.tif 000013
【図１３】
0004542686.tif 000014
【図１４】
0004542686.tif 000015
【図１５】
0004542686.tif 000016